(57)【要約】【課題】光記録型の表示媒体に表示された画像に対して、従来よりも追従性を向上させた追記を行うこと。【解決手段】光記録型の表示媒体である電子ペーパ２００に画像の追記を行う光ペン１０は、光ペン１０の移動速度を検出し、その検出結果に応じて発光量を制御することにより、電子ペーパ２００の光導電層に対して、予め設定されたエネルギ以上のエネルギが照射される。このとき、光ペン１０の傾斜角度を検出して、その検出結果を発光量に反映させてもよい。また、光ペン１０の動きにより、電子ペーパ２００に追記電圧の印加制御を行なってもよい。【選択図】図１
2010176311.tif 000002
【特許請求の範囲】
【請求項１】
照射された光に応じて記録される画像を表示する光記録型の表示媒体に対して、当該光を照射する発光部と、
前記表示媒体に対する前記発光部の移動速度を検出する速度検出手段と、
前記発光部からの光量を制御する光量制御手段であって、前記速度検出手段によって検出された移動速度が大きいほど、前記発光部からの光量が大きくなる制御範囲を有する光量制御手段と
を具備することを特徴とする光照射装置。
【請求項２】
前記表示媒体に対して、電圧印加を行う装置に対して、当該電圧印加の有無を指示する指示信号を出力する出力手段と、
前記速度検出手段によって検出された移動速度に応じて、前記出力手段から出力される指示信号の指示内容を制御する電圧制御手段と
をさらに具備する
ことを特徴とする請求項１に記載の光照射装置。
【請求項３】
長尺状の筐体であって、前記発光部の光が一方の端部から前記表示媒体に対して照射するように前記発光部が設けられた筐体をさらに具備し、
前記端部と前記表示媒体とが接触しているか否かを検出する接触検出手段をさらに具備し、
前記光量制御手段は、前記接触検出手段の検出結果に応じて、前記発光部からの光量を制御する
ことを特徴とする請求項１に記載の光照射装置。
【請求項４】
前記接触検出手段は、前記表示媒体から反射される前記発光部に係る発光を受光する受光手段を有し、前記受光手段が受光する光量が予め設定された光量以上であるときに、前記端部と前記表示媒体とが接触していると検出する
ことを特徴とする請求項３に記載の光照射装置。
【請求項５】
前記表示媒体に対して、電圧印加を行う装置に対して、当該電圧印加の有無を指示する指示信号を出力する出力手段と、
前記接触検出手段の検出結果に応じて、前記出力手段から出力される指示信号の指示内容を制御する電圧制御手段と
をさらに具備する
ことを特徴とする請求項３または請求項４に記載の光照射装置。
【請求項６】
前記表示媒体の表面の法線方向に対する前記発光部の発光方向の傾斜角度を検出する傾斜検出手段をさらに具備し、
前記光量制御手段は、前記傾斜検出手段によって検出された傾斜角度が大きいほど、前記発光部からの光量が大きくなるように制御する
ことを特徴とする請求項１乃至請求項５のいずれかに記載の光照射装置。
【発明の詳細な説明】
【技術分野】
【０００１】
本発明は、光照射装置に関する。
【背景技術】
【０００２】
特許文献１には、電子ペーパなどの光記録型の表示媒体に対して光を照射するとともに電圧を印加することより画像を記録する技術において、光ペンを用いて表示媒体に光を照射して、表示媒体に表示されている画像に追記する技術が開示されている。
【先行技術文献】
【特許文献】
【０００３】
【特許文献１】特開２００５−３２１７３６号公報
【発明の概要】
【発明が解決しようとする課題】
【０００４】
本発明は、光記録型の表示媒体に表示された画像に対して、従来よりも追従性を向上させた追記を行うことを目的とする。
【課題を解決するための手段】
【０００５】
本発明の請求項１に係る光照射装置は、照射された光に応じて記録される画像を表示する光記録型の表示媒体に対して、当該光を照射する発光部と、前記表示媒体に対する前記発光部の移動速度を検出する速度検出手段と、前記発光部からの光量を制御する光量制御手段であって、前記速度検出手段によって検出された移動速度が大きいほど、前記発光部からの光量が大きくなる制御範囲を有する光量制御手段とを具備することを特徴とする。
【０００６】
本発明の請求項２に係る光照射装置は、請求項１の構成において、前記表示媒体に対して、電圧印加を行う装置に対して、当該電圧印加の有無を指示する指示信号を出力する出力手段と、前記速度検出手段によって検出された移動速度に応じて、前記出力手段から出力される指示信号の指示内容を制御する電圧制御手段とをさらに具備することを特徴とする。
【０００７】
本発明の請求項３に係る光照射装置は、請求項１の構成において、長尺状の筐体であって、前記発光部の光が一方の端部から前記表示媒体に対して照射するように前記発光部が設けられた筐体をさらに具備し、前記端部と前記表示媒体とが接触しているか否かを検出する接触検出手段をさらに具備し、前記光量制御手段は、前記接触検出手段の検出結果に応じて、前記発光部からの光量を制御することを特徴とする。
【０００８】
本発明の請求項４に係る光照射装置は、請求項３の構成において、前記接触検出手段は、前記表示媒体から反射される前記発光部に係る発光を受光する受光手段を有し、前記受光手段が受光する光量が予め設定された光量以上であるときに、前記端部と前記表示媒体とが接触していると検出することを特徴とする。
【０００９】
本発明の請求項５に係る光照射装置は、請求項３または請求項４の構成において、前記表示媒体に対して、電圧印加を行う装置に対して、当該電圧印加の有無を指示する指示信号を出力する出力手段と、前記接触検出手段の検出結果に応じて、前記出力手段から出力される指示信号の指示内容を制御する電圧制御手段とをさらに具備することを特徴とする。
【００１０】
本発明の請求項６に係る光照射装置は、請求項１乃至は請求項５のいずれかの構成において、前記表示媒体の表面の法線方向に対する前記発光部の発光方向の傾斜角度を検出する傾斜検出手段をさらに具備し、前記光量制御手段は、前記傾斜検出手段によって検出された傾斜角度が大きいほど、前記発光部からの光量が大きくなるように制御することを特徴とする。
【発明の効果】
【００１１】
本発明の請求項１に記載の発明によれば、同構成を有しない場合に比べ、光記録型の表示媒体に表示された画像に対して、追従性を向上させた追記を行うことができる。
本発明の請求項２に記載の発明によれば、同構成を有しない場合に比べ、追記を行わないときの消費電力を抑えることができる。
本発明の請求項３に記載の発明によれば、同構成を有しない場合に比べ、追記を行わないときの消費電力を抑えることができる。
本発明の請求項４に記載の発明によれば、表示媒体に照射する光を用いて、表示媒体と光照射装置との接触を検出することができる。
本発明の請求項５に記載の発明によれば、同構成を有しない場合に比べ、追記を行わないときの消費電力を抑えることができる。
本発明の請求項６に記載の発明によれば、同構成を有しない場合に比べ、表示媒体に照射する光の強度を安定化させることができる。
【図面の簡単な説明】
【００１２】
【図１】実施形態に係る記録装置の構成を示すブロック図である。
【図２】実施形態に係る記録装置の外観を説明する図である。
【図３】実施形態に係る電子ペーパ２００の構成を示す図である。
【図４】光ペンの移動に伴う各処理の説明図である。
【図５】光ペンの移動速度と発光量との対応関係を示す図である。
【図６】光ペンの傾斜角度と光導電層に照射される光の単位面積あたりの光量の関係を示す図である。
【図７】傾斜角度が０°、６０°の場合について、光ペンの移動速度と発光量との対応関係の比較を示す図である。
【図８】変形例１に係る記録装置の構成を示すブロック図である。
【図９】光ペンのペン先部分と電子ペーパとの接触検出についての説明図である。
【発明を実施するための形態】
【００１３】
以下、本発明の一実施形態について説明する。
【００１４】
＜実施形態＞
図１は、本発明の実施形態に係る記録装置１の構成を示すブロック図である。図２は、記録装置１の外観を説明する図である。記録装置１は、光記録型の表示媒体である電子ペーパ２００に光を照射する光照射装置である光ペン１０、および電子ペーパ２００を保持して、電圧を印加する電圧印加装置１００を有し、電子ペーパ２００に対して、光ペン１０で描かれる画像を追記して記録する装置である。以下、記録装置１の各構成について図１、図２を用いて説明する。
【００１５】
図１に示すように、光ペン１０は、発光部２０、制御部３０、速度検出部４０、傾斜検出部５０、無線送信部６０、電源部７０およびスイッチ部８０を有する。図２に示すように、光ペン１０の各構成は、長尺状の筐体１１内に納められ、電圧印加装置１００および電子ペーパ２００に対して移動可能になっている。発光部２０は、筐体１１の一方の端部であるペン先部分から外部に光が照射されるように設けられ、光ペン１０を用いて、電子ペーパ２００に対して文字、画像などを描くようにして使用すると、光ペン１０から電子ペーパ２００に対して光が照射されるようになっている。
【００１６】
発光部２０は、半導体レーザ、ＬＥＤ（Light Emitting Diode）などの光源を有し、電子ペーパ２００に対して画像を追記するときに用いる光を筐体１１の外部に対して照射する。この光の波長は、光導電層２３０において吸収されることにより光電荷を発生させる光の波長を含む範囲で設定されている。この光の照射方向は、筐体１１の長尺方向に設定されている。また、発光部２０は、制御部３０によって、照射する光量が設定される。制御部３０は、ＣＰＵ（Central Processing Unit）などの演算装置、およびメモリなどの記憶手段を有し、光ペン１０の各部の動作を制御する。
【００１７】
速度検出部４０は、加速度センサを有し、加速度センサからの出力信号に応じて、光ペン１０の筐体１１の移動速度、すなわち発光部２０の移動速度を検出し、検出結果を示す信号を制御部３０に出力する。この移動速度は予め設定された基準に対する速度として検出され、この基準は、後述するようにスイッチ部８０の初期化スイッチを操作することにより、制御部３０によって、筐体１１が電圧印加装置１００に保持された電子ペーパ２００に対して停止している状態であると設定される。すなわち、光ペン１０の筐体１１の移動速度は、電子ペーパ２００に対する移動速度として検出される。
【００１８】
なお、速度の検出は、電子ペーパ２００と光ペン１０とを接触させて機械的に検出する方式、光学マウスなどにより用いられる光学的に検出する方式、電子ペーパ２００の表面を撮影して画像認識により検出する方式を用いてもよいし、位置センサの出力を微分して用いてもよい。また、電子ペーパ２００の表面に定磁界を発生させておき、光ペン１０のペン先部分にコイルを設けて、励磁起電力電圧の測定をすることによって速度検出をしてもよい。すなわち、電子ペーパ２００に対する移動速度を検出する方式であれば、どのような方式を用いてもよい。ここで、電子ペーパ２００との相対速度を直接検出する方式を用いる場合には、上述した基準の設定を要しない。
【００１９】
傾斜検出部５０は、加速度センサを有し、加速度センサからの出力信号に応じて、予め設定された基準方向に対する筐体１１の長尺方向（発光部２０からの発光方向）の傾斜角度αを検出し、検出結果を示す信号を制御部３０に出力する。この基準方向は、スイッチ部８０の初期化スイッチを操作することにより、制御部３０によって、操作したときの筐体１１の長尺方向が基準方向として設定される。この基準方向は、電圧印加装置１００に保持された電子ペーパ２００の表面の法線方向として設定されるものであり、基準方向は重力方向として予め設定されているものとしてもよい。すなわち、電圧印加装置１００に保持された電子ペーパ２００表面の法線方向が重力方向であるものとして設定されていていてもよい。
【００２０】
以下の説明においては、基準方向となる重力方向と筐体１１の長尺方向とが並行であるときをα＝０°とし、垂直であるとき、すなわち筐体１１の長尺方向が地面に対して水平であるときをα＝９０°として説明する（図６参照）。なお、この加速度センサは、速度検出部４０における加速度センサと共通のものとしてもよい。
【００２１】
無線送信部６０は、制御部３０から出力される指示信号を電圧印加装置１００に対して無線通信により送信する。電源部７０は、充電型の蓄電池などを有し、スイッチ部８０の操作に応じて光ペン１０の各部に対して電力を供給する。スイッチ部８０は、光ペン１０の電源スイッチ、初期化スイッチを有する。電源スイッチを操作することにより光ペンの１０のオンオフが制御され、オンオフに応じて電源部７０からの電力供給の制御を行う。また、初期化スイッチを操作することにより、初期化処理の指示を示す初期化信号が制御部３０に出力される。なお、電源スイッチと初期化スイッチとは１つの操作子とし、操作態様により区別して用いられてもよいし、その操作子を操作して電源をオンとしたときにあわせて初期化信号が出力されるようにして、電源スイッチと初期化スイッチとを共通化してもよい。
【００２２】
制御部３０は、速度検出部４０および傾斜検出部５０から出力される信号に応じて、発光部２０から照射される光量を制御する。具体的な制御内容については、後述する。また、制御部３０は、速度検出部４０から出力される信号に応じて、電圧印加装置１００において、電圧印加の有無を指示する指示信号を無線送信部６０に出力する。一方、制御部３０は、スイッチ部８０から初期化信号が入力されると、速度検出部４０および傾斜検出部５０における基準の設定を行う。以上が、光ペン１０の構成についての説明である。
【００２３】
電圧印加装置１００は、無線受信部１１０、電圧発生部１２０及び電圧印加部１３０を有する。無線受信部１１０は、光ペン１０から送信された指示信号を受信し、電圧発生部１２０に出力する。
【００２４】
電圧発生部１２０は、無線受信部１１０から出力される指示信号の指示に応じて、電子ペーパ２００に光ペン１０により追記を行う際に必要な、予め設定されたパターンの電圧（以下、追記電圧という）を発生させる。電圧発生部１２０は、電圧印加有とする指示の指示信号が入力されると、追記電圧を発生し、電圧印加無とする指示の指示信号が入力されると、予め設定された時間経過後に、追記電圧の発生を停止するようになっている。なお、予め設定された時間の経過を待たずに追記電圧の発生を停止させてもよい。
【００２５】
電圧印加部１３０は、電子ペーパ２００を保持し、電子ペーパ２００に電圧を印加する電極を有する。この電極は、電子ペーパ２００が保持されると、電子ペーパ２００の電極と電気的に接触するように設けられている。したがって、電子ペーパ２００が電圧印加装置１００に保持されている状態で、電圧発生部１２０において追記電圧が発生されると、その追記電圧が電子ペーパ２００に印加される。
【００２６】
図３は、電子ペーパ２００の画像表示領域における構成を示す図である。電子ペーパ２００は、予め設定された電圧、この例においては、追記電圧が印加されているときに照射された光に応じて記録される画像を表示する表示媒体であって、フィルム基板２１０、２７０、透明電極２２０、２６０、光導電層２３０、着色層２４０、および表示層２５０を有し、これらによって画像が表示される表示面が構成されている。電子ペーパ２００においては、画像の記録が複数回行えるようになっている。電子ペーパ２００に画像を記録するには、透明電極２２０と透明電極２６０とに電圧印加装置１００の電圧印加部１３０から、追記電圧が印加された状態で、光ペン１０より光を照射する。
【００２７】
フィルム基板２１０、２７０は、電子ペーパ２００の表面を保護するために設けられた層である。例えば、ＰＥＴ（ポリエチレンテレフタレート）を有する。フィルム基板２７０は、記録された画像を使用者が観察する側に設けられている。透明電極２２０、２６０は、例えば、ＩＴＯ（酸化インジウム錫）を有する層である。透明電極２２０、２６０のそれぞれ図示しない電極と接続され、電圧印加部１３０の電極と接触し、電圧印加装置１００から追記電圧が印加されると、透明電極２２０と透明電極２６０とに電位差が生じる。
【００２８】
光導電層２３０は、照射される光の強度に応じてその導電率を異ならせる導電体を有する層である。光導電層２３０としては、例えば、有機光導電体を用いる。着色層２４０は、表示層２５０が光を透過する場合に観察される層であり、あらかじめ決められた色（例えば、黒）になっている。表示層２５０は印加される電圧に応じて光の反射状態を異ならせる表示素子を含む層であって、バインダー樹脂中にマイクロカプセル状のコレステリック液晶表示素子を分散させたものである。コレステリック液晶表示素子は、配向状態として、プレーナ配向状態とフォーカルコニック配向状態とになりうる。コレステリック液晶表示素子は、プレーナ配向状態の場合は光を反射（ブラッグ反射）して、あらかじめ決められた色を呈し、フォーカルコニック配向状態にある場合は光を透過して着色層２４０の色を呈する。以上が、電子ペーパ２００の表示領域における構成の説明である。
【００２９】
次に、電子ペーパ２００に対して、光ペン１０を用いて画像の追記を行うときの記録装置１の動作について説明する。まず、電子ペーパ２００を画像が表示されている面を見えるように、すなわちフィルム基板２７０が上面になるように、電圧印加装置１００に保持させる。そして、光ペン１０のスイッチ部８０を操作して電源をオンにし、初期化を行う。この初期化により、速度検出部４０における基準は、光ペン１０の筐体１１の移動速度が、電子ペーパ２００に対して停止している状態、傾斜検出部５０における基準方向は、筐体１１の長尺方向が、電子ペーパ２００の表面の法線方向として設定される。この時点においては、発光部２０は発光していない。
【００３０】
そして、利用者は、光ペン１０を用いて、電子ペーパ２００のフィルム基板２７０の面（画像が表示される面）に追記したい画像を描く動作を行うと、光ペン１０の制御部３０は、発光部２０の光量の制御、電圧印加装置１００における電圧印加指示制御を行い、光ペン１０の軌跡に追従して追記が行われる。この制御の態様を図４、図５を用いて説明する。この例においては、説明を容易にするため、光ペン１０は、傾斜角度αが一定の状態で、特定の方向に直線的に移動した場合について述べる。
【００３１】
図４は、光ペン１０の移動に伴う各処理の説明図である。図４（Ａ）は、光ペン１０の移動速度の時刻変化を示している。図４（Ｂ）は、図４（Ａ）に示す移動速度で光ペン１０が移動したときの加速度センサの出力の時刻変化を示している。図４（Ｃ）は、図４（Ａ）に示す移動速度で光ペン１０が移動したときの発光部２０の光量の時刻変化を示している。図４（Ｄ）は、図４（Ａ）に示す移動速度で光ペン１０が移動したときの電圧印加装置１００における印加電圧の有無の時刻変化を示している。
【００３２】
まず、光ペン１０が図（Ａ）に示す移動速度で移動すると、図４（Ｂ）に示す加速度センサの出力信号の変化が得られ、速度検出部４０は、電子ペーパ２００に対する光ペン１０の筐体１１の移動速度を検出する。制御部３０は、光ペン１０が移動を開始したことを検出すると、まず、発光部２０の発光を開始させるとともに、電圧印加有を指示する指示信号を出力する。これにより、電子ペーパ２００への追記電圧の印加が開始される。
【００３３】
その後、制御部３０は、速度検出部４０から出力される信号を監視し、光ペン１０の筐体１１の移動速度に応じて、発光部２０からの発光量を図５に示す対応関係により制御する。
【００３４】
図５は、光ペン１０の筐体１１の移動速度と発光部２０からの発光量との対応関係を示す図である。この対応関係は、図５に示すように、移動速度が大きいほど、発光量が大きくなる関係となる範囲を有している。これは、光ペン１０の筐体１１の移動速度が大きくなると、電子ペーパ２００の光導電層２３０に各領域に光が照射される時間が減少し、光のエネルギが減少することになるから、画像を追記するために必要な光量を得るために行われる。これにより、光ペン１０を遅く移動させて追記を行っても、速く移動させて追記を行っても、予め設定されたエネルギ以上が、光が照射された各領域の光導電層２３０に照射される構成になっている。なお、図５におけるＥｍｉｎは、光導電層２３０に最小限必要なエネルギを与える発光量を示し、Ｅｍａｘは、発光部２０の発光量の上限を示しているものである。
【００３５】
図４に戻って説明を続ける。光ペン１０の移動を停止させると、制御部３０は、発光部２０からの発光を停止させるとともに、電圧印加無を指示する指示信号を出力する。これにより、電子ペーパ２００への追記電圧の印加が終了する。ここで、図４（Ｄ）に示すように、電圧印加無を指示する指示信号が出力されても、電圧印加装置１００においては、すぐに電圧の発生が停止されるのではなく、予め設定された時間経過後停止されるようになっている。このように、光ペン１０の移動により、電子ペーパ２００に照射する光量の制御、および電子ペーパ２００に印加される電圧の制御が行われる。
【００３６】
ここで、光ペン１０の筐体１１の傾斜角度αが変化する場合について図６、図７を用いて説明する。光ペン１０の傾斜角度αが０°であるときに比べ、傾斜角度αが大きくなると、電子ペーパ２００の光導電層２３０に照射される光の単位面積あたりのエネルギが減少することになる。これは、傾斜角度αが大きくなると、発光部２０から照射される光のスポット径が広がることによる。
【００３７】
図６は、光ペン１０の傾斜角度αと光導電層２３０に照射される光の単位面積あたりの光量の関係を示す図である。図６に示すように、傾斜角度αと単位面積あたりの光エネルギＥとの関係は、α＝０°の時のエネルギをＥ０とすると、Ｅ＝Ｅ０×ｃｏｓ（α）となる。したがって、光ペン１０の傾斜角度が変化する場合には、制御部３０は、光ペン１０の筐体１１の移動速度に対応する発光量に対して、１／ｃｏｓ（α）を乗じたものとして発光部２０からの発光量を制御する。すなわち、α＝６０°であれば、α＝０°の場合に対して、２倍との発光量となる。
【００３８】
図７は、傾斜角度が０°（実線）、６０°（破線）の場合について、光ペン１０の筐体１１の移動速度と発光部２０からの発光量との対応関係の比較を示す図である。このように、光ペン１０の傾斜角度によっても、電子ペーパ２００に照射する光量の制御が行われ、予め設定されたエネルギ以上が、光が照射された各領域の光導電層２３０に照射される構成になっている。ここで、予め設定されたエネルギ以上が光導電層２３０の各領域に照射されるものとすれば、その領域への追記を確実に行うことで追従性の高い追記となるが、予め設定されたエネルギが照射されるように光量を制御すれば、その領域への追記において、さらに特定の濃度（階調）を維持して追記することになる。
【００３９】
このようにして、光ペン１０の内部で、速度、傾斜角度を検出して、検出結果に応じて発光部２０からの発光量を制御して電子ペーパ２００に照射することにより、他装置を用いて、光ペン１０の速度、傾斜角度を算出して、他装置から通信により光ペン１０から照射される光量を制御する場合に比べ、光量制御が早くなる。したがって、光ペン１０の動きの変化が大きくても、動きの変化に追従して光量制御が行われ、光導電層２３０に対して予め設定されたエネルギの光を照射するから、画像の追記が追従性の高いものとなる。
【００４０】
以上、本発明の実施形態について説明したが、本発明は以下のように、さまざまな形態で実施可能である。
【００４１】
＜変形例１＞
上述した実施形態においては、指示信号が出力されるタイミングは、光ペン１０の移動開始または停止のタイミングによるものであったが、光ペン１０のペン先部分が、光照射の対象物である電子ペーパ２００に接触したとき、または離れたときに、指示信号が出力されるようにしてもよい。この場合には、図８に示す構成とすればよい。
【００４２】
図８は、本変形例に係る記録装置１Ａの構成を示すブロック図である。この記録装置１Ａは、実施形態における光ペン１０に接触検出部９０および受光センサ９１を設けた光ペン１０Ａとしたものである。接触検出部９０は、受光センサ９１からの出力信号に応じて光ペン１０のペン先部分が電子ペーパ２００と接触しているかを検出し、接触したこと、または離れたことを示す信号を制御部３０に出力する。受光センサ９１は、発光部２０からの発光について、電子ペーパ２００において反射した光を受光して、その受光量を示す信号を接触検出部９０に出力する。
【００４３】
図９は、光ペン１０のペン先部分と電子ペーパ２００との接触検出についての説明図である。図９に示すように、発光部２０に近接して、例えば周囲に受光センサ９１が設けられている。図９（Ａ）に示すように、電子ペーパ２００と光ペン１０のペン先部分とが離れている場合と、図９（Ｂ）に示すように、近くにある場合とは、発光部２０からの発光に対する反射光の受光量が異なり、近くにある場合の方がより大きな受光量となる。したがって、接触検出部９０は、予め設定された受光量以上であるか否かにより、接触しているか否かを検出する。
【００４４】
制御部３０は、接触検出部９０から接触したことを示す信号が入力されると、電圧印加有を指示する指示信号を出力する一方、離れたことを示す信号が入力されると、電圧印加無を指示する指示信号を出力する。
【００４５】
ここで、接触が検出されていない間においては、発光部２０の発光量は、実施形態における制御、すなわち発光していない状況とは異なり、受光センサ９１により反射を検出する程度の発光量であって、追記を行うときの発光量より弱いものとして制御される。このように接触検出を行うときの発光部２０からの発光については、さらに追記を行うときの発光よりも拡散させ、スポット径が大きくなるようにしてもよい。拡散させることにより、光ペン１０のペン先部分と電子ペーパ２００との距離が変化したときに、受光センサ９１における反射光の変化量が大きくなり、接触検出部９０における検出精度が向上する。
【００４６】
なお、接触検出部９０は、外部からの光の影響を加味して接触を検出してもよい。また、受光センサ９１を用いた接触検出ではなく、圧力センサなどを用いた検出でもよい。
【００４７】
＜変形例２＞
上述した実施形態における光ペン１０は、筐体１１の移動速度、傾斜角度に応じて、発光量を制御していた。傾斜角度については、追記を行うときには大きく変化することが少ない場合が多いから、移動速度に応じて発光量を制御し、傾斜角度については用いなくてもよい。この場合には、移動速度に応じた発光量について、傾斜角度が４５°程度の場合を適用し、発光量の制御にマージンを持たせてもよい。
【００４８】
＜変形例３＞
上述した実施形態においては、光ペン１０の移動により電子ペーパ２００に電圧が印加されていたが、電子ペーパ２００への電圧の印加を別の態様で行なってもよい。例えば、電圧の印加を指示する操作部を設けて、この操作部の操作により電圧印加の開始、停止の制御を行なうようにすればよい。この操作部は、電圧印加装置１００に設けてもよいし、光ペン１０に設けてもよい。
【００４９】
＜変形例４＞
上述した実施形態において、記録装置１は、光ペン１０を用いて、電子ペーパ２００に画像の追記を行っていたが、電圧印加装置１００の筐体に、電子ペーパ２００に光を照射する照射手段を設けて、画像の記録に必要な電圧を印加するとともに、照射手段によって、記録する画像に応じた光を照射して、電子ペーパ２００に画像を記録してもよい。この場合には、電子ペーパのフィルム基板２１０側から光が照射されるようにすればよい。そして、電圧印加装置１００において、電子ペーパ２００に画像を記録した後、電子ペーパ２００を保持したまま、光ペン１０を用いてその画像に対して追記を行うようにしてもよい。さらに、電圧印加装置１００において、電子ペーパ２００に画像を追記するときの光ペン１０の軌跡を検出して記憶し、その軌跡が追加された画像を電子ペーパ２００に対して記録するようにしてもよい。
【００５０】
＜変形例５＞
上述した実施形態においては、利用者は光ペン１０を持って、電子ペーパ２００に追記する画像を描画するものであったが、Ｘ−Ｙプロッタなどを用いた機械式で追記する画像を描画するようにしてもよい。
【符号の説明】
【００５１】
１，１Ａ…記録装置、１０，１０Ａ…光ペン、１１…筐体、２０…発光部、３０…制御部、４０…速度検出部、５０…傾斜検出部、６０…無線送信部、７０…電源部、８０…スイッチ部、９０…接触検出部、９１…受光センサ、１００…電圧印加装置、１１０…無線受信部、１２０…電圧発生部、１３０…電圧印加部、２００…電子ペーパ、２１０，２７０…フィルム基板、２２０，２６０…透明電極、２３０…光導電層、２４０…着色層、２５０…表示層
【図１】
2010176311.tif 000003
【図２】
2010176311.tif 000004
【図３】
2010176311.tif 000005
【図４】
2010176311.tif 000006
【図５】
2010176311.tif 000007
【図６】
2010176311.tif 000008
【図７】
2010176311.tif 000009
【図８】
2010176311.tif 000010
【図９】
2010176311.tif 000011